(57)【要約】【課題】グラウンドゴルフ競技で使用するスタートマットにおいて、ボールを保持するボールスタンドがスタートマットから簡単に抜け落ちないようにする。【解決手段】グラウンドゴルフ用スタートマットのマット本体１に形成した取付孔４には、ボールスタンド８が嵌合している。ボールスタンド８は、ボールを保持するボール載置部９を先端に形成した柱状部１０と、この柱状部１０を突設した基板１１を有する。上記柱状部１０は、上記取付孔４に挿入できる外径に形成され、該取付孔４に挿入した際、マット本体１の表面側に開口している上記取付孔４の周縁に係合する突起１３が形成されている。【選択図】図３
0003161296.tif 000002
【実用新案登録請求の範囲】
【請求項１】
取付孔を有するシート状のマット本体と、上記取付孔に嵌合可能な柱状部と該柱状部を突設した基板を有するボールスタンドを具備し、マット本体の裏面側から上記取付孔にボールスタンドの柱状部を挿入した際、上記取付孔の表面側の周縁に係合する係合部を該ボールスタンドの柱状部に形成したことを特徴とするグラウンドゴルフ用スタートマット。
【請求項２】
上記係合部は、柱状部の周囲に突設した突起である請求項１に記載のグラウンドゴルフ用スタートマット。
【請求項３】
上記突起は柱状部の全周に設けられている請求項２に記載のグラウンドゴルフ用スタートマット。
【請求項４】
上記係合部は溝であり、上記取付孔には該溝に嵌り込む側縁が形成されている請求項１に記載のグラウンドゴルフ用スタートマット。
【請求項５】
グラウンドゴルフ用スタートマットに形成された取付孔に嵌合可能な外径を有し先端にボール載置部を形成した柱状部と、該柱状部を起立した基板を有し、該基板の上面から上記取付孔の深さに対応する柱状部の部位に該取付孔の周縁に係合する係合部を形成したグラウンドゴルフ用スタートマットに用いるボールスタンド
【請求項６】
上記係合部は、柱状部の周囲に突設した突起である請求項４に記載のグラウンドゴルフ用スタートマットに用いるボールスタンド。
【請求項７】
上記突起は柱状部の全周に設けられている請求項５に記載のグラウンドゴルフ用スタートマットに用いるボールスタンド。
【請求項８】
上記係合部は溝であり、上記取付孔には該溝に嵌り込む側縁が形成されている請求項４に記載のグラウンドゴルフ用に用いるボールスタンド。
【考案の詳細な説明】
【技術分野】
【０００１】
本考案は、グラウンドゴルフにおいてスタートのときに使用するスタートマット及びこのスタートマットに取り付けられボールを載置するためのボールスタンドに関するものである。
【背景技術】
【０００２】
グラウンドゴルフは、ボールが重くかつクラブヘッドが大きいので、グラウンドに損傷を与えないようボールを載置するためのボールスタンドを有するスタートマットが使用されている（例えば特許文献１参照）。一般的に、このようなボールスタンドやスタートマットは合成ゴム材料で構成され、競技の際にスタートマットを各コースのスタートポイントに設営して使用され、ボールスタンドは交換できるようスタートマットから取外可能に設けられている。
【０００３】
上記ボールスタンドの取り付け構造は、スタートマットに形成した取付孔にボールスタンドの柱状部を差込み、該取付孔と柱状部間の弾性作用で嵌合状態を保持している。しかし、このボールスタンド部分には繰り返し衝撃力が作用するので、長く使用すると素材の劣化、マットの取付孔やボールスタンドの柱状部の摩耗変形等により、嵌合が弛み、ボールスタンドがマットから外れやすくなる。その結果、グラウンドゴルフコースの設営中や片付け中にボールスタンドがマットから外れて紛失することがしばしばあった。
【先行技術文献】
【特許文献】
【０００４】
【特許文献１】特開２００８−５５０８２号公報（段落０００９、図２〜図５）
【考案の概要】
【考案が解決しようとする課題】
【０００５】
本考案の解決課題は、グラウンドゴルフ用スタートマットにおいて、長期間使用してもボールスタンドが脱落しないようにしたグラウンドゴルフ用スタートマットおよびそれに用いるボールスタンドを提供することである。
【課題を解決するための手段】
【０００６】
本考案によれば、取付孔を有するシート状のマット本体と、上記取付孔に嵌合可能な柱状部と該柱状部を突設した基板を有するボールスタンドを具備し、マット本体の裏面側から上記取付孔にボールスタンドの柱状部を挿入した際、上記取付孔の表面側の周縁に係合する係合部を該ボールスタンドの柱状部に形成したことを特徴とするグラウンドゴルフ用スタートマットが提供され、上記課題が解決される。
【０００７】
また、本考案によれば、グラウンドゴルフ用スタートマットに形成された取付孔に嵌合可能な外径を有し先端にボール載置部を形成した柱状部と、該柱状部を起立した基板を有し、該基板の上面から上記取付孔の深さに対応する柱状部の部位に該取付孔の周縁に係合する係合部を形成したグラウンドゴルフ用スタートマットに用いるボールスタンドが提供される。
【考案の効果】
【０００８】
本考案は、上記のように構成され、取付孔を有するシート状のマット本体と、上記取付孔に嵌合可能な柱状部と該柱状部を突設した基板を有するボールスタンドを具備し、マット本体の裏面から上記取付孔にボールスタンドの柱状部を挿入した際、上記取付孔の表面側の周縁に係合する係合部を該ボールスタンドの柱状部に形成したから、長期間使用してマット本体やボールスタンドの材質が劣化したり、打撃時の衝撃でボールスタンド等が摩耗しても、上記係合部と取付孔の周縁が係合しているので、嵌合状態が維持され、取り扱い中に簡単に抜け落ちるおそれが少なく、紛失を防止することができる。また、打撃の際、ボールスタンドは取付孔の周縁を支点として柱状部に衝撃が作用するが、この部分に係合部を設けたことによりボールスタンドが補強され、損傷が軽減される。なお、スタンドのボール載置部は通常中空に形成され容易に変形するので、裏面側からボールスタンドを強く引き出すと係合部が取付孔の周縁から外れ、マット本体から取り外して新しいボールスタンドと交換することができる。
【図面の簡単な説明】
【０００９】
【図１】本考案のボールスタンドの一実施例を示す斜視図。
【図２】グラウンドゴルフ用スタートマットの分解斜視図。
【図３】グラウンドゴルフ用マットの断面図。
【図４】（Ａ）、（Ｂ）はそれぞれボールスタンドの他の実施例を示す平面図。
【図５】グラウンドゴルフ用スタートマットの他の実施例を示し、（Ａ）はマット本体の一部の平面図、（Ｂ）は一部の断面図。
【考案を実施するための形態】
【００１０】
図１〜図３は、本考案の一実施例を示し、グラウンドゴルフ用スタートマットは、合成ゴム等の弾性材料で形成されたシート状のマット本体１を有し、該マット本体１の表面側には、コース番号表示部２と打球の方向を示す矢印３が設けられ、一方側に円形状に開口する取付孔４が形成され、周囲にはスタートマットを固定するためにピン等の固定具（図示略）を差し込むための固定孔５が設けられている。また、マット本体１の裏面側には、上記取付孔４に連通し該取付孔より拡径された拡大孔６があり、滑り止めの凹凸条７が形成されている。
【００１１】
上記取付孔４にはボールスタンド８が取り付けられる。このボールスタンド８は、合成ゴム等の弾性材料で形成され、上記取付孔４に嵌合可能な外径を有し先端にボール（図示略）を載置するボール載置部９を形成した円柱状の柱状部１０と、上記拡大孔６に嵌合する形状で上面に上記柱状部１０を起立させた円板状の基板１１を具備している。該ボール載置部９は、図３に示すように中空に形成され、この柱状部１０周面には上記マット本体１の表面側に開口する取付孔４の周縁に係合する係合部１２が形成されている。
【００１２】
図３に示すように、上記係合部１２の形成位置は、上記基板１１の上面から上記取付孔４の深さ、すなわち取付孔４部分のマット本体１の厚さに対応する位置である。また、該係合部１２は、図１等に示すものでは、柱状部１０の表面から突出する突起１３であり、図１では４箇所に突起を設けてあるが、図４（Ａ）に示すように１箇所に設けたり、同図（Ｂ）に示すように柱状部１０の全周に環状に設けたり、その他適宜に形成することができる。  
【００１３】
上記構成によりボールスタンド８の柱状部１０をマット本体１の裏面側から取付孔４に差し込み、拡大孔６に基板１１が嵌り込む位置まで挿入すると、上記突起１３はマット本体１の表面側に開口する取付孔４の周縁に係合し、ボール載置部９がマット本体１の上面に突出する。そして、通常のようにこのマット本体１をグラウンドゴルフコースの所定の位置に固定具で固定すれば、設営が完了する。長期にわたって使用してマット本体やボールスタンドの材質が劣化したり、摩耗により損傷して上記ボールスタンドの柱状部１０と取付孔４の嵌合が弛んでも、上記のように突起１３が取付孔４の周縁に係合しているので、設営等の取り扱い中にボールスタンド８がマット本体１から抜け落ちるおそれは少ない。
【００１４】
上記実施例では、係合部１２を突起１３で構成したが、溝等の凹み部に形成することもできる。図５（Ａ）、（Ｂ）はそのような一実施例を示し、スタートマットのマット本体１に形成する取付孔１４は、直線状の側縁１５を有する平面視略小判形の孔形状に形成され、ボールスタンド１６の柱状部１７の周囲には、上記取付孔１４の直線状の側縁１５が嵌り込む環状の係止溝１８を形成してある。また、基板１９は、上記実施例と同様に拡大孔２０に嵌り込むから、ボールスタンド１６が取付孔１４内で移動するおそれはない。
【００１５】
上記の構成により、図５に示す構造でも係止溝１８に直線状の側縁１５が係合するから、ボールスタンド１６は抜け止めされ、取り扱い中の脱落を防止することができる。
【００１６】
本考案はグラウンドゴルフについて説明したが、パークゴルフ等のマットの適応することもできる。
【符号の説明】
【００１７】
１    マット本体
４    取付孔
８    ボールスタンド
１０  柱状部
１１  基板
１２  係合部
１３  突起
【図１】
0003161296.tif 000003
【図２】
0003161296.tif 000004
【図３】
0003161296.tif 000005
【図４】
0003161296.tif 000006
【図５】
0003161296.tif 000007
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
取付孔を有するシート状のマット本体と、上記取付孔に嵌合可能な柱状部と該柱状部を突設した基板を有するボールスタンドを具備し、マット本体の裏面側から上記取付孔にボールスタンドの柱状部を挿入した際、上記取付孔の表面側の周縁に係合する係合部を該ボールスタンドの柱状部に形成したことを特徴とするグラウンドゴルフ用スタートマット。
【請求項２】
上記係合部は、柱状部の周囲に突設した突起である請求項１に記載のグラウンドゴルフ用スタートマット。
【請求項３】
上記突起は柱状部の全周に設けられている請求項２に記載のグラウンドゴルフ用スタートマット。
【請求項４】
上記係合部は溝であり、上記取付孔には該溝に嵌り込む側縁が形成されている請求項１に記載のグラウンドゴルフ用スタートマット。
【請求項５】
グラウンドゴルフ用スタートマットに形成された取付孔に嵌合可能な外径を有し先端にボール載置部を形成した柱状部と、該柱状部を起立した基板を有し、該基板の上面から上記取付孔の深さに対応する柱状部の部位に該取付孔の周縁に係合する係合部を形成したグラウンドゴルフ用スタートマットに用いるボールスタンド。
【請求項６】
上記係合部は、柱状部の周囲に突設した突起である請求項５に記載のグラウンドゴルフ用スタートマットに用いるボールスタンド。
【請求項７】
上記突起は柱状部の全周に設けられている請求項６に記載のグラウンドゴルフ用スタートマットに用いるボールスタンド。
【請求項８】
上記係合部は溝であり、上記取付孔には該溝に嵌り込む側縁が形成されている請求項５に記載のグラウンドゴルフ用に用いるボールスタンド。